(57)【要約】【課題】  書類ラミネータの熱源シートホルダの提供。【解決手段】  フレームと二つの可動ユニットを具え、各可動ユニットが仮性位置決め部品と弾性部品を具え、該仮性位置決め部品は弾性部品、フレームを通過した後、書類ラミネータの熱源シートと固定され、且つ該フレームが熱源シートと弾性部品の間に介在し、熱源シートが加熱され膨張した後に該フレームを押圧し、該フレームが弾性部品の弾力作用を受けて熱源シートに圧接し、これにより変形を発生せず、並びにホルダの変形程度を減らし、ローラ作業の摩擦力を減らす。【選択図】        図２
0003109673.tif 000002
【実用新案登録請求の範囲】
【請求項１】
相互に対応する上ローラ、下ローラ、該上ローラの上方に位置する上熱源シート、下ローラの下方に位置する下熱源シート、及びホルダ装置を具え、該ホルダ装置が上ローラと下ローラと上熱源シートと下熱源シートの一端が設置されるフレームを具えた書類ラミネータの熱源シートホルダにおいて、
該ホルダ装置が二つの可動ユニットを具え、そのうち一方の可動ユニットが上ローラと上熱源シートに対応し、もう一方の可動ユニットが下ローラと下熱源シートに対応し、各可動ユニットが仮性位置決め部品と弾性部品を具え、該仮性位置決め部品が弾性部品、フレームを順に通過した後に熱源シートと固着され、フレームが熱源シートと弾性部品の間に介装され、熱源シートが加熱され膨張した後に該フレームを押圧する時、該フレームが弾性部品の弾力を受けて熱源シートに圧接し、変形を発生しないことを特徴とする、書類ラミネータの熱源シートホルダ。
【請求項２】
請求項１記載の書類ラミネータの熱源シートホルダにおいて、弾性部品が圧縮バネとされたことを特徴とする、書類ラミネータの熱源シートホルダ。
【請求項３】
請求項１記載の書類ラミネータの熱源シートホルダにおいて、仮性位置決め部品が浮動ネジとされ、ネジ頭と軸部を具え、該軸部が熱源シートに螺合され且つネジ頭から離れたネジ部と、フレーム、弾性部品と嵌合され且つネジ頭に近接するスライド部とを具え、フレームが押圧される時に該スライド部上で往復移動を形成することを特徴とする、書類ラミネータの熱源シートホルダ。
【考案の詳細な説明】
【技術分野】
【０００１】
本考案は一種のホルダに係り、特に書類ラミネータの熱源シートを位置決めするためのホルダに関する。
【背景技術】
【０００２】
重要な資料或いは長期に保存するに値する文献を保存するため、フィルムでラミネート処理する方法がよく使用されている。その原理は書類ラミネータ中の二つのローラでフィルムを挟んで圧迫し、同時にローラを介してフィルムを高温加熱し、フィルムを緊密に書類表面に接合させ、これにより空気が書類に対して形成する酸化作用を隔絶し、或いは書類が汚れるのを防止し、資料の完全性を保存することにある。
【０００３】
図１は現在常用されている書類ラミネータの局部構造を示し、それは底座（説明しやすいように図示せず）、上から下に順に配列された上加熱シート１１、上ローラ１２、下ローラ１３、下加熱シート１４、及び二つのサイドフレーム１５を具えている。各サイドフレーム１５は全ての加熱シート１１、１４とローラ１２、１４の両側に枢設され、並びにネジ１６で位置決めされている。
【０００４】
全体の書類ラミネータが起動された後、加熱シート１１、１４はそれぞれ昇温し、並びに温度が対応するローラ１２、１３に伝えられ、ローラ１２、１３が加熱され、高温に自身の回転が組み合わされてフィルムに対して熱圧する。
【０００５】
大量の書類をラミネートするのに長時間書類ラミネータを起動すると、加熱シート１１、１４及びローラ１２、１３の温度は急速に上昇し、高温を有効に排除できない時、近隣の局部サイドフレーム１５の温度も連帯して上昇し、且つ加熱シート１１、１４が加熱されて膨張し、またサイドフレーム１５との間は固定式に螺子止めされているため、サイドフレーム１５が加熱シート１１、１４の構造の不安定を受けて変形を発生する。
【０００６】
サイドフレーム１５の変形は全体の書類ラミネータの正常運転に直接の影響を形成することはないが、変形したサイドフレーム１５は直接書類ラミネータ中のその他の部品を圧迫し、書類ラミネータを正常に機能行使できなくさせる。且つ上下のローラ１２、１３はいずれもサイドフレーム１５に枢設されているため、一旦そのうちの任意のサイドフレーム１５に変形湾曲が発生すると、二つのローラ１２、１３間の相対距離が改変し、言い換えると、二つのローラ１２、１３の中心距離が改変しさらには接触を形成することがあり、ローラ１２、１３の回転摩擦力が大きくなり、モータ（図示せず）の運転力を増さねば摩擦力を克服できなくなる。
【考案の開示】
【考案が解決しようとする課題】
【０００７】
このため、本考案の目的は、ホルダの変形を減らせ、これによりホルダ変形によるローラの作業摩擦力とそれによるモータ負荷の増加の問題を防止できるようにした書類ラミネータの熱源シートホルダを提供することにある。
【０００８】
本考案のホルダは書類ラミネータに取り付けられ、該書類ラミネータは相互に対応する上ローラと下ローラ、上ローラの上方と下ローラの下方に位置して相互に対応する上熱源シートと下熱源シート、及びホルダ装置とを具えている。該ホルダ装置は全てのローラと熱源シートの一端の設置に供されるフレーム、及び二つの可動ユニットを具えている。そのうち、一方の可動ユニットは上ローラと上熱源シートに対応し、もう一方の可動ユニットは下ローラと下熱源シートに対応し、且つ各可動ユニットは仮性位置決め部品と弾性部品を具え、該仮性位置決め部品は順に、弾性部品、フレームを通過した後、熱源シートと相互に固定され、これによりフレームが熱源シートと弾性部品の間に介在する。該弾性部品はフレームを熱源シートに圧接させ、これによりフレームの変形を制限する。
【課題を解決するための手段】
【０００９】
請求項１の考案は、相互に対応する上ローラ、下ローラ、該上ローラの上方に位置する上熱源シート、下ローラの下方に位置する下熱源シート、及びホルダ装置を具え、該ホルダ装置が上ローラと下ローラと上熱源シートと下熱源シートの一端が設置されるフレームを具えた書類ラミネータの熱源シートホルダにおいて、
該ホルダ装置が二つの可動ユニットを具え、そのうち一方の可動ユニットが上ローラと上熱源シートに対応し、もう一方の可動ユニットが下ローラと下熱源シートに対応し、各可動ユニットが仮性位置決め部品と弾性部品を具え、該仮性位置決め部品が弾性部品、フレームを順に通過した後に熱源シートと固着され、フレームが熱源シートと弾性部品の間に介装され、熱源シートが加熱され膨張した後に該フレームを押圧する時、該フレームが弾性部品の弾力を受けて熱源シートに圧接し、変形を発生しないことを特徴とする、書類ラミネータの熱源シートホルダとしている。
請求項２の考案は、請求項１記載の書類ラミネータの熱源シートホルダにおいて、弾性部品が圧縮バネとされたことを特徴とする、書類ラミネータの熱源シートホルダとしている。
請求項３の考案は、請求項１記載の書類ラミネータの熱源シートホルダにおいて、仮性位置決め部品が浮動ネジとされ、ネジ頭と軸部を具え、該軸部が熱源シートに螺合され且つネジ頭から離れたネジ部と、フレーム、弾性部品と嵌合され且つネジ頭に近接するスライド部とを具え、フレームが押圧される時に該スライド部上で往復移動を形成することを特徴とする、書類ラミネータの熱源シートホルダとしている。
【考案の効果】
【００１０】
本考案は、ホルダの変形を減らせ、これによりホルダ変形によるローラの作業摩擦力とそれによるモータ負荷の増加の問題を防止できるようにした書類ラミネータの熱源シートホルダを提供している。
【考案を実施するための最良の形態】
【００１１】
図２に示されるように、本考案の好ましい実施例は書類ラミネータに取り付けられ、該書類ラミネータは、上ローラ２１、下ローラ２２、上熱源シート２３、下熱源シート２４、及びホルダ装置２５を具えている。
【００１２】
該上ローラ２１、下ローラ２２は上下に相互に対応し並びにフィルムが通過する間隙を形成し、且つ両者は熱伝導材料で形成され、上ローラ２１、下ローラ２２の回転方向は相互に反対であり、これによりフィルムを熱圧成形する。
【００１３】
該上熱源シート２３は上ローラ２１の上方に位置し、下熱源シート２４は下ローラ２２の下方に位置し、即ち、側面から観ると、上から下に順に上熱源シート２３、上ローラ２１、下ローラ２２、下熱源シート２４が配置される。
【００１４】
図３に示されるように、ホルダ装置２５は二つのフレーム２６、２７と、二つの可動ユニット２８を具えている。そのうち一方のフレーム２６に上熱源シート２３、上ローラ２１、下ローラ２２、下熱源シート２４の一端が設置され、この部分はネジで固定式に接続される。該上熱源シート２３、上ローラ２１、下ローラ２２、下熱源シート２４の別端はもう一つのフレーム２７に設置される。
【００１５】
各可動ユニット２８は仮性位置決め部品２８１と弾性部品２８２を具えている。本実施例で採用されている仮性位置決め部品２８１は浮動ネジとされ、ネジ頭２８３とネジ部を具えた軸部２８４を具え、軸部２８４にネジ頭２８３に近接するスライド部２８５、ネジ頭２８３から離れたネジ部２８６を具え、該スライド部２８５の長さは軸部２８４の総長さの５分の３を占め、該ネジ部２８６の長さは軸部２８４の総長さの５分の２を占める。各ネジ部２８６にはネジ山が形成され、また上熱源シート２３、下熱源シート２４にそれに対応するネジ山が設けられている。本実施例で使用する弾性部品２８２は圧縮バネとされている。
【００１６】
以下にホルダ装置２５の実際の応用情況を説明する。まず、上熱源シート２３、上ローラ２１、下ローラ２２、下熱源シート２４の一端をフレーム２６に固定し、且つもう一つのフレーム２７を側方向より上熱源シート２３、上ローラ２１、下ローラ２２、下熱源シート２４の別端に圧接させ、同時に、各可動ユニット２８の仮性位置決め部品２８１を順に弾性部品２８２、フレーム２７に通した後、上熱源シート２３、下熱源シート２４の内壁面に螺合させ、フレーム２７を上熱源シート２３或いは下熱源シート２４と弾性部品２８２の間に介在させ、上熱源シート２３、下熱源シート２４、弾性部品２８２を仮性位置決め部品２８１のスライド部２８５の外側に嵌合させ、且つ弾性部品２８２の弾力によりフレーム２７を恒常的に上熱源シート２３或いは下熱源シート２４の方向に押圧する。
【００１７】
該書類ラミネータを起動すると、上ローラ２１、下ローラ２２が回転開始すると共に、上熱源シート２３、下熱源シート２４により熱量が提供され、上ローラ２１、下ローラ２２の温度が上昇する。上ローラ２１、下ローラ２２が設定作業温度に達した後に、上ローラ２１と下ローラ２２の間にフィルムを送りフィルムにラミネート作業を行なわせることができる。
【００１８】
もし加熱時間が長過ぎて上熱源シート２３、下熱源シート２４に熱膨張の情況が発生してフレーム２６、２７が外向きに押圧されても、フレーム２６と上熱源シート２３、下熱源シート２４の間が固定式に接続され、フレーム２６は任意移動不能であり、この方向の熱膨張運動は制限される。これにより上熱源シート２３、下熱源シート２４の変形後にはもう一つのフレーム２７の方向に膨張し、該フレーム２７に対して外向きの推力を形成する。
【００１９】
以下の説明は上熱源シート２３を以て熱源シートとフレーム間の加熱後の変化情況を説明するものであるが、下熱源シート２４にも適用されることに注意されたい。図４に示されるように、上熱源シート２３とフレーム２７間は非固定式接合であり、フレーム２７が推力を受けた後に上熱源シート２３と一体にやや外向きに移動し、この時、フレーム２７は弾性部品２８２を押圧して弾性部品２８２をフレーム２７とネジ頭２８３の間で圧縮させ、該フレーム２７がすなわち弾性部品２８２の押圧を受けて上熱源シート２３の一側に圧接する。
【００２０】
こうして、該フレーム２７と上熱源シート２３の間が相互に接触する位置を維持し、弾性部品２８２の外側からの押圧と、上熱源シート２３の変形推力が相互に拮抗する関係を形成し、フレーム２７が緊密に上熱源シート２３に圧接し、構造上の変化を発生せず、即ちフレーム２７の外形が維持され、当然、フレーム２７の変形或いは湾曲が形成されず、上ローラ２１、下ローラ２２の相対距離も改変せず、更に上ローラ２１、下ローラ２２間の相対位置の改変或いは摩擦力増加の問題を発生せず、フレーム２７の摩損の問題も発生しない。
【００２１】
書類ラミネータが作業を停止し冷却すると、上熱源シート２３は温度下降により体積が縮小し、上熱源シート２３内縮の過程で、該弾性部品２８２はフレーム２７を上ローラ２１に圧接させ、フレーム２７を上熱源シート２３の変形と一体に内向きに移動させ、フレーム２７と上熱源シート２３の間に間隙を発生させず、全体のフレーム２７の構造の完全性を維持し、上ローラ２１、下ローラ２２にフレーム２７の変形による相対距離の問題を発生させない。
【００２２】
以上をまとめると、本考案の書類ラミネータの熱源シートホルダはフレーム２７が仮性位置決め部品２８１に枢設され、且つ弾性部品２８２が恒常的にフレーム２７を上熱源シート２３、下熱源シート２４に向けて押圧する特性により、フレーム２７が上熱源シート２３、下熱源シート２４に圧接する態様を保持し、フレーム２７の構造の正確性、完全性を維持し、フレーム２７に枢設された上ローラ２１、下ローラ２２の相対位置をねじれさせず、上ローラ２１、下ローラ２２の回転摩擦力を下げ、大幅にモータ或いは上ローラ２１、下ローラ２２の運転負担を減らし、ゆえに本考案はその目的を確実に達成する。
【００２３】
以上は本考案の好ましい実施例の説明であって、本考案の範囲を限定するものではなく、以上の説明及び図面の記載に基づきなしうる細部の修飾或いは改変は、いずれも本考案の請求範囲に属するものとする。
【図面の簡単な説明】
【００２４】
【図１】周知の書類ラミネータの表示図である。
【図２】本考案の書類ラミネータの熱源シートホルダの好ましい実施例の表示図である。
【図３】本考案の実施例の局部断面図である。
【図４】本考案の実施例の別の局部断面図であり熱源シートが高温で膨張した後にフレームが原状を維持して変形しない状態を示す。
【符号の説明】
【００２５】
１１  上加熱シート                    ２５  ホルダ装置
１２  上ローラ                        ２６  フレーム
１３  下ローラ                        ２７  フレーム
１４  下加熱シート                    ２８  可動ユニット
１５  サイドフレーム                  ２８１  仮性位置決め部品
１６  ネジ                            ２８２  弾性部品
２１  上ローラ                        ２８３  ネジ頭
２２  下ローラ                        ２８４  軸部
２３  上熱源シート                    ２８５  スライド部
２４  下熱源シート                    ２８６  ネジ部
【図１】
0003109673.tif 000003
【図２】
0003109673.tif 000004
【図３】
0003109673.tif 000005
【図４】
0003109673.tif 000006